(57)【特許請求の範囲】
【請求項１】
ガスタービンにおける燃焼ダイナミックスを低減する方法であって、
内部構造体（５２）をその中に支持する円筒形外側スリーブ（５０）と前記内部構造体を貫通して形成された複数の燃料ノズル開口（５４）とを含み、第１の組の円周方向に間隔を置いた冷却孔（５６）が前記円筒形外側スリーブを貫通して形成されている燃焼ライナキャップ組立体（４２）を準備する段階と、
前記第１の組の冷却孔から軸方向に間隔を置いて配置される第２の組の円周方向に間隔を置いた冷却孔（５８）を、前記円筒形外側スリーブを貫通して形成する段階と、
を含む方法。
【請求項２】
前記形成する段階が、８個の冷却孔を備えた前記第２の組の冷却孔（５８）を形成する段階を含む、請求項１記載の方法。
【請求項３】
前記形成する段階が、１９．０５mm（０．７５インチ）の直径を備えた前記孔を形成する段階を含む、請求項１記載の方法。
【請求項４】
前記形成する段階が、冷却孔（５８）を覆うことによって、元の孔（５６）への空気流量に影響を与えずに元の構造に戻すことができるように実施される、請求項１記載の方法。
【発明の詳細な説明】
【技術分野】
【０００１】
本発明は、ガス燃料及び液体燃料式タービンに関し、より具体的には、発電プラントで用いる産業用ガスタービンにおける燃焼器及び燃焼ライナキャップ組立体に関する。
【背景技術】
【０００２】
燃焼器は、一般的に長手方向軸線を有するほぼ円筒形のケーシングを含み、この燃焼器ケーシングは、互いに固定された前方及び後方セクションを有し、また燃焼ケーシングは、その全体がタービンケーシングに固定される。各燃焼器はさらに、内部フロースリーブと該フロースリーブ内にほぼ同心に配置された燃焼ライナとを含む。フロースリーブ及び燃焼ライナの両方は、それらの前方すなわち下流端部における二重壁移行ダクトとそれらの後方端部におけるスリーブキャップ組立体（燃焼器の後方すなわち上流部分内に設置された）との間で延びる。フロースリーブは燃焼器ケーシングに直接取付けられるが、ライナは、ライナキャップ組立体を受け、次いで組立体が燃焼器ケーシングに固定される。移行ダクトの外側壁及びフロースリーブの少なくとも一部分には、それらのそれぞれの表面の殆どの部分にわたり空気供給孔が設けられ、それによって圧縮機空気が燃焼ライナとフロースリーブとの間の半径方向空間に流入し、燃焼器の後方すなわち上流部分に向かって逆方向に流れ、この後方すなわち上流部分において空気流の方向は、再び逆方向になって燃焼器の後方部分内に流入し、燃焼ゾーンに向かって流れることが可能になる。
【０００３】
複数（例えば、５個）の拡散／予混合式燃料ノズルが、燃焼器ケーシングの長手方向軸線の周りに円形配列で配置される。これらのノズルは、燃焼器の後方端部を閉鎖する燃焼器端部カバー組立体内に取付けられる。燃焼器内部では、燃料ノズルが、燃焼ライナキャップ組立体、具体的には予混合管の対応する１つの中に延びる。各ノズルの前方すなわち吐出端部は、燃焼ライナ内の燃焼ゾーンに開口する予混合管の下流端部に比較的近接して対応する予混合管の内部で終わる。空気スワーラが、予混合管の後方すなわち上流端部において半径方向に各ノズルとその関連する予混合管との間に設置されて、予混合燃料と混合するためにそれぞれの予混合管に流入する圧縮機空気を旋回させる。
【０００４】
ガスタービン燃焼器内の高い燃焼ダイナミックスは、燃焼システムが最適の（最小の）エミッションレベルで作動するのを妨げるような欠点の原因になるおそれがある。高いダイナミックスはまた、ガスタービンを強制停止することになる状態までハードウェアを損傷するおそれがある。確かに発生はするが強制停止を引き起こさない程度のハードウェア損傷は、補修費用を増加させる。ガスタービン燃焼器における燃焼ダイナミックスを低減するための幾つかの修正作業がこれまで考慮されてきた。燃料分割の変更、制御の変更及びノズルのサイズ変更による調整がこれまで試みられ、様々な程度に成功を収めてきた。多くの場合、全体的に最良の解決を得るために、これら及び他の方法の組み合わせが行われる。調整及び制御設定の変更は、ハードウェア変更のような他のより費用が掛かりかつ内部に及ぶ解決法と比べた場合にそれらは比較的簡単な変更であるので、燃焼ダイナミックスを軽減するための標準的な解決法であると考えられる。しかしながら、燃料分割を調整する場合又は制御設定を調整する場合に考慮しなければならないのは燃焼ダイナミックスだけではないので、限界も確かに存在する。ダイナミックスを軽減するためにこれらの方法を用いる場合には、エミッション（ＮＯｘ、ＣＯ及びＵＨＣ）、出力、熱消費率、排気温度、燃料モード切替え及びターンダウンへの影響を、全て考慮すべきであり、また常にそれらのトレードオフを伴う。
【０００５】
ノズルのサイズ変更はまた、高いダイナミックスに対処するために時々用いられるオプションであるが、燃料組成を設計ポイントから大きく変更した場合に使用するために一般的に留保される。さらに、費用と時間が掛かるので、このオプションは、ノズルの設計圧力比範囲に基づいて一部の使用範囲のみに限られるという欠点がある。燃料組成をさらに変更することは、ダイナミックスを調整できない場合には異なるノズルを再度必要とすることになる。
【０００６】
通常新しいハードウェア部品の開発に関連する高いコストのために、設計空間の変更は一般的に、この段階でのダイナミックス軽減における最後の手段である。目標は、多くの場合標準的なダイナミックス軽減方法によって影響を受けるエミッション、出力、熱消費率、排気温度、モード切替え性能及びターンダウンに影響を与えずにダイナミックスを低下させることである。大抵の場合、キャップ改造のような小さな変更を用いるより設計指向の解決法では、ダイナミックスを低減する考慮対象からそれらのパラメータを切り離している。
【特許文献１】特開平０６−００２８５１号公報
【特許文献２】米国特許第５，４２３，３６８号公報
【発明の開示】
【課題を解決するための手段】
【０００７】
本発明の例示的な実施形態では、燃焼ライナキャップ組立体は、内部構造体をその中に支持する円筒形外側スリーブと、内部構造体を貫通して形成された複数の燃料ノズル開口とを含む。第１の組の円周方向に間隔を置いた冷却孔が円筒形外側スリーブを貫通して形成され、また第２の組の円周方向に間隔を置いた冷却孔が円筒形外側スリーブを貫通して形成される。第２の組の冷却孔は、第１の組の冷却孔から軸方向に間隔を置いて配置される。
【０００８】
本発明の別の例示的な実施形態では、ガスタービンにおける燃焼ダイナミックスを低減する方法は、燃焼ライナキャップ組立体を準備する段階と、第１の組の冷却孔から軸方向に間隔を置いて配置される第２の組の円周方向に間隔を置いた冷却孔を、円筒形外側スリーブを貫通して形成する段階とを含む。
【０００９】
本発明のさらに別の例示的な実施形態では、燃焼ライナキャップ組立体を構成する方法は、内部構造体をその中に支持する円筒形外側スリーブを準備する段階と、内部構造体を貫通して複数の燃料ノズル開口を形成する段階と、円筒形外側スリーブを貫通して第１の組の円周方向に間隔を置いた冷却孔を形成する段階と、第１の組の冷却孔から軸方向に間隔を置いて配置される第２の組の円周方向に間隔を置いた冷却孔を、円筒形外側スリーブを貫通して形成する段階とを含む。
【発明を実施するための最良の形態】
【００１０】
図１を参照すると、ガスタービン１０は、圧縮機１２（一部を示す）と、複数の燃焼器１４（１つを示す）と、ここでは単一のブレード１６で表したタービンとを含む。具体的には図示しないが、タービンは、共通の軸線に沿って圧縮機１２に駆動連結される。圧縮機１２は、流入空気を加圧し、その空気が次に燃焼器１４に逆向きに流され、燃焼器において、空気は、該燃焼器を冷却しまた燃焼過程に空気を供給するために用いられる。
【００１１】
上述のように、ガスタービンは、該ガスタービンの周辺部の周りに設置された複数の燃焼器１４を含む。二重壁の移行ダクト１８が、各燃焼器の出口端部をタービンの入口端部と結合して、燃焼高温生成物をタービンに送り込む。
【００１２】
多数の燃焼器１４内では、点火は、クロスファイヤ管２２（１つを示す）と組合せた点火プラグ２０によって通常の方法で行われる。
【００１３】
各燃焼器１４は、前方開放端部においてボルト２８によってタービンケーシング２６に固定されたほぼ円筒形の燃焼ケーシング２４を含む。燃焼ケーシングの後方端部はエンドカバー組立体３０によって閉鎖され、エンドカバー組立体３０は、ガス燃料、液体燃料及び空気（及び必要に応じて水）を燃焼器に供給するための従来型の供給管、マニホルド及び関連のバルブ等を含むことができる。エンドカバー組立体３０は、燃焼器の長手方向軸線の周りに円形配列で配置された複数（例えば、５個）の燃料ノズル組立体３２（便宜上かつ分かり易くする目的で関連のスワーラ３３と共に１つのみを示す）を受ける。
【００１４】
燃焼器ケーシング２４の内部には、その前方端部において二重壁移行ダクト１８の外側壁３６に結合されたほぼ円筒形のフロースリーブ３４が該燃焼器ケーシングとほぼ同心状態に支持される。フロースリーブ３４は、燃焼器ケーシング２４の前方及び後方セクションが結合されている突合継手３７において、その後方端部が半径方向フランジ３５によって燃焼器ケーシング２４に結合される。
【００１５】
フロースリーブ３４の内部には、その前方端部において移行ダクト１８の内側壁４０に結合された同心配列の燃焼ライナ３８が配置される。燃焼ライナの後方端部は、以下にさらに説明する燃焼ライナキャップ組立体４２によって支持され、次に燃焼ライナキャップ組立体４２が、同じ突合継手３７において燃焼器ケーシングに固定される。移行ダクト１８の外側壁３６と燃焼ケーシング２４がタービンケーシングにボルト止め（ボルト２８によって）された位置の前方に延びるフロースリーブ３４のその部分とには、それらのそれぞれの周面全体にわたって開口４４の配列が形成されて、空気が、圧縮機１２から開口４４を通ってフロースリーブ３４とライナ３６との間の環状（半径方向）空間内に入り、燃焼器の上流すなわち後方端部に向かって逆方向に（図１に示す流れ矢印によって表示するように）流れることが可能になることを理解されたい。
【００１６】
図２は、燃焼ライナキャップ組立体４２の斜視図である。組立体４２の詳細は、全体的に公知であり、本発明の一部を特に構成するものではない。図示するように、燃焼ライナキャップ組立体４２は、公知の内部構造体５２をその中に支持するほぼ円筒形の外側スリーブ５０を含む。複数の燃料ノズル開口５４が、従来のものと同様に、内部構造体を貫通して形成される。
【００１７】
図３を参照すると、第１の組の円周方向に間隔を置いた冷却孔５６が、円筒形外側スリーブ５０を貫通して形成される。これらの従来型の孔は、圧縮機空気がライナキャップ組立体内に流入するのを可能にする。キャップ噴流プレートを通る空気流量を増大させるために、第２の組の円周方向に間隔を置いた冷却孔５８が、円筒形外側スリーブ５０を貫通して形成され、この場合、これら冷却孔は、第1の組の冷却孔５６から軸方向に間隔を置いて配置されるのが好ましい。第２の組には８個の冷却孔５８が含まれ、またこれら冷却孔５８は約１９．０５mm（０．７５インチ）の直径を有することが好ましい。第２の組の冷却孔５８は、燃焼火炎をより良好に安定させるために空気流量を増大させることを可能にする。例示的な適用例では、改造によりＤＬＮ２＋燃焼システムの３つの特性音調のうちの１つを低減し、このことにより総合調整作業時において残りの２つの音調をより容易に最適化することが可能になる。すなわち、ＤＬＮ２＋燃焼システムは、３つの特性燃焼ダイナミックス周波数を有する。この改造は、それらの音調の１つを低減する。次ぎに燃料分割調整及びパージ調整の通常の調整方法を使用して、残りの２つの音調を低減することができる。高いダイナミックスレベルは、ハードウェア寿命を低下させかつハードウェア破損の可能性を招くおそれがあるので、燃焼ダイナミックスの低減により、ユニットの容易な調整が向上又は可能になり、補修及び交換費用の節減をもたらす。本構成は、現存の構造の問題に対する簡易な解決をもたらし、また現行の設計に対して改装可能である。
【００１８】
本構成はまた、必要と思われる場合、第２の組の冷却孔５８を覆うことによって、元の孔５６への空気流量に影響を与えずに元の構造に戻すことができる。つまり、この設計改良によって追加した孔は、該孔を覆って金属ディスク等を溶接することによって補修して該孔内に流入する空気流を阻止することができる。部品の構造及び機能は、その場合元の設計構造に戻される。
【００１９】
現在最も実用的かつ好ましい実施形態であると考えられるものに関して本発明を説明してきたが、本発明は、開示した実施形態に限定されるものではなく、また、特許請求の範囲に記載された符号は、理解容易のためであってなんら発明の技術的範囲を実施例に限縮するものではない。
【図面の簡単な説明】
【００２０】
【図１】ガスタービン燃焼器の部分断面図。
【図２】燃焼ライナキャップ組立体の斜視図。
【図３】ライナキャップ外側本体スリーブ内の追加の冷却孔を示す拡大図。
【符号の説明】
【００２１】
４２  燃焼ライナキャップ組立体
５０  円筒形外側スリーブ
５２  内部構造体
５４  燃料ノズル開口
５６  第１の組の冷却孔
５８  第２の組の冷却孔
【図１】
0004713110.tif 000002
【図２】
0004713110.tif 000003
【図３】
0004713110.tif 000004